(57)【要約】【課題】キッチンカウンターに形成されたカウンター孔に一部が挿入された状態で設置されるビルトインコンロにおいて、トッププレートから零れた煮汁等の液体がカウンター孔側に入り込むことをより確実に防止し得る構成を実現する。【解決手段】ビルトインコンロ１において、パッキン５０は、被支持部３４に沿うように環状に配置されるとともに被支持部３４に固定される固定部５２と、固定部５２に沿うように環状に配置されるとともに固定部５２に一体的に連結され、固定部５２の外側且つ下側に張り出した形状をなし、弾性変形及び撓み変形が可能とされた外側部５４と、固定部５２に沿うように環状に配置されるとともに固定部５２を基端として内側且つ下側に向かう形状をなす内側延出部５７を有し、外側部５４の内側において固定部５２に一体的に連結された構成で弾性変形及び撓み変形が可能とされた内側部５６と、を備える。【選択図】図７
2019152393.tif 000002
【特許請求の範囲】
【請求項１】
ガスバーナと、
前記ガスバーナを収容する収容空間の周囲に配置される周壁部と、前記周壁部の上端部において外側へと環状に張り出すように形成された被支持部と、を備え、上端側が開放して構成された筐体部と、
板状に構成されるとともに前記筐体部の上端側を閉塞するように取り付けられ、自身の周縁部が前記被支持部の上方側を覆うように配置されるトッププレートと、
前記筐体部の前記被支持部に沿って設けられるパッキンと、
を有し、
キッチンカウンターの所定の載置面に形成されたカウンター孔を通してキッチンカウンターの内部に前記周壁部が収容されつつ、前記被支持部が前記カウンター孔の周囲の前記載置面に支持された状態で設置されるビルトインコンロであって、
前記パッキンは、
前記被支持部に沿うように環状に配置されるとともに前記被支持部に固定される固定部と、
前記固定部に沿うように環状に配置されるとともに前記固定部に一体的に連結され、前記固定部の外側且つ下側に張り出した形状をなし、弾性変形及び撓み変形が可能とされた外側部と、
前記固定部に沿うように環状に配置されるとともに前記外側部の基端よりも内側且つ下側に向かう形状をなす内側延出部を有し、前記外側部の内側において前記固定部に一体的に連結された構成で弾性変形及び撓み変形が可能とされた内側部と、
を備えるビルトインコンロ。
【請求項２】
前記パッキンは、前記ビルトインコンロが前記キッチンカウンターに設置されていない非設置状態において、前記外側部の上方に第１空間が存在し、前記内側延出部の上方に第２空間が存在する構成をなし、
前記ビルトインコンロが前記キッチンカウンターに設置されることに応じて前記外側部の下端側が前記載置面によって下方から押され且つ前記内側延出部の下端側が前記載置面によって下方から押された場合に、前記外側部が前記第１空間側に弾性変形し、前記内側延出部が前記第２空間側に弾性変形する
請求項１に記載のビルトインコンロ。
【請求項３】
前記ビルトインコンロが前記キッチンカウンターに設置されていない非設置状態において前記固定部が前記被支持部に沿って延びる方向と直交する方向の断面をみたとき、前記外側部が前記固定部の外側且つ下側に向かって延びるとともに前記外側部の上方に第１空間が存在し、前記内側延出部が前記固定部の内側且つ下側に向かって延びるとともに前記内側延出部の上方に第２空間が存在し、前記外側部と前記内側延出部との間において前記外側部と前記内側延出部とが連結する部分の下方側に第３空間が存在し、
前記ビルトインコンロが前記キッチンカウンターに設置されることに応じて前記外側部の下端側が前記載置面によって下方から押され且つ前記内側延出部の下端側が前記載置面によって下方から押された場合に、前記外側部が前記第１空間側に弾性変形し、前記内側延出部が前記第２空間側に弾性変形し、前記外側部の下端側と前記内側延出部の下端側が離間する
請求項１に記載のビルトインコンロ。
【請求項４】
前記ビルトインコンロが前記キッチンカウンターに設置されていない非設置状態において前記固定部が前記被支持部に沿って延びる方向と直交する方向の断面をみたとき、前記内側延出部は、下方側且つ外側に向かって凸となる湾曲形状をなす
請求項１から請求項３のいずれか一項に記載のビルトインコンロ。
【請求項５】
前記内側部は、前記ビルトインコンロが前記キッチンカウンターに設置されていない非設置状態において前記固定部が前記被支持部に沿って延びる方向と直交する方向の断面をみたときに一端及び他端が前記固定部に連結された環状形態をなす中空部として構成され、当該中空部の下端部よりも外側の位置が前記内側延出部となっている
請求項１から請求項４のいずれか一項に記載のビルトインコンロ。
【発明の詳細な説明】
【技術分野】
【０００１】
本発明は、ビルトインコンロに関するものである。
【背景技術】
【０００２】
特許文献１には、システムキッチンのカウンタートップに開設されたカウンター孔に落とし込まれて使用されるビルトインコンロの一例が開示されている。このビルトインコンロは、ケース開口部の外周に張り出し且つカウンター孔の周縁部に係合する係合フランジが設けられ、その外周全域に沿って弾性のパッキンが装着されている。このように、カウンター孔の周縁部とトッププレートとの間に環状のパッキンが介在することで、トッププレート側から零れた煮汁等がカウンター孔側に入り込むことを防いでいる。
【先行技術文献】
【特許文献】
【０００３】
【特許文献１】実開平６−４５０８号公報
【発明の概要】
【発明が解決しようとする課題】
【０００４】
この種のビルトインコンロでは、単にパッキンが介在するだけでは、キッチンカウンターにおけるカウンター孔近傍の載置面が下方に反っていたり、その他の変形があったりする場合に、パッキンの一部がカウンター孔近傍の載置面から浮き上がりやすくなる。このようなパッキンの浮き上がりが生じると、パッキンとカウンター孔周辺の載置面との間の密着性が確保できなくなり、浮き上がり部分の近傍に生じる隙間（パッキンと載置面との間の隙間）からカウンター孔側に煮汁等が入り込みやすくなる。
【０００５】
この問題の対策として、特許文献１で開示されるビルトインコンロでは、コンロ本体のフランジを載置する載置部をパッキンの内周側に設け、外方に向かって斜め下方に傾斜する載置部（トッププレートの載置部）をパッキンの外周側に設けることで、トッププレートの載置部とカウンタトップの上面との密着性を高めている。しかし、特許文献１で開示されるパッキンは、外方に向かって斜め下方に傾斜する載置部（トッププレートの載置部）の基端よりも上側に中空部が設けられているため、トッププレートの載置部の基端付近を押圧し得る程度までカウンタトップの上面が密着しないと、中空部を潰すように変形させることができない。従って、軽い荷重であったり、カウンタトップ上面からの浮き上がり量が大きかったりすると、トッププレートの載置部の先端付近が少し変形するだけになってしまい、中空部を変形させるには至らずにシール性が不十分となってしまう虞がある。
【０００６】
本発明は、上述した課題を解決するためになされたものであり、キッチンカウンターに形成されたカウンター孔に一部が挿入された状態で設置されるビルトインコンロにおいて、トッププレートから零れた煮汁等の液体がカウンター孔側に入り込むことをより確実に防止し得る構成を実現することを目的とするものである。
【課題を解決するための手段】
【０００７】
本発明の一つであるビルトインコンロは、
ガスバーナと、
前記ガスバーナを収容する収容空間の周囲に配置される周壁部と、前記周壁部の上端部において外側へと環状に張り出すように形成された被支持部と、を備え、上端側が開放して構成された筐体部と、
板状に構成されるとともに前記筐体部の上端側を閉塞するように取り付けられ、自身の周縁部が前記被支持部の上方側を覆うように配置されるトッププレートと、
前記筐体部の前記被支持部に沿って設けられるパッキンと、
を有し、
キッチンカウンターの所定の載置面に形成されたカウンター孔を通してキッチンカウンターの内部に前記周壁部が収容されつつ、前記被支持部が前記カウンター孔の周囲の前記載置面に支持された状態で設置されるビルトインコンロであって、
前記パッキンは、
前記被支持部に沿うように環状に配置されるとともに前記被支持部に固定される固定部と、
前記固定部に沿うように環状に配置されるとともに前記固定部に一体的に連結され、前記固定部の外側且つ下側に張り出した形状をなし、弾性変形及び撓み変形が可能とされた外側部と、
前記固定部に沿うように環状に配置されるとともに前記固定部を基端として内側且つ下側に向かう形状をなす内側延出部を有し、前記外側部の内側において前記固定部に一体的に連結された構成で弾性変形及び撓み変形が可能とされた内側部と、
を備える。
【０００８】
このように構成されたビルトインコンロは、キッチンカウンターの載置面の反り等に起因して被支持部や固定部の一部が載置面から若干浮き上がったとしても、その浮き上がり部分近傍に位置する外側部や内側延出部は、被支持部や固定部と同様に浮き上がるのではなく、弾性復帰力によって載置面側に撓むように変位することになる。このような変位が外側部及び内側延出部において部分的に生じ得るため、被支持部や固定部の一部が若干浮き上がったとしても外側部及び内側延出部がキッチンカウンターの載置面に密着した状態で維持されやすくなる。しかも、外側部と内側延出部とが内外に延びる形態でそれぞれ設けられているため、比較的軽い荷重であったり、浮き上がり量が小さい場合であっても、外側部と内側延出部とが内外に拡がりながら撓み変形し、それぞれが載置面に密着した状態で維持されやすくなる。
よって、トッププレートから零れた煮汁等の液体がカウンター孔側に入り込むことをより確実に防止し得る。
【０００９】
本発明の一つであるビルトインコンロにおいて、パッキンは、ビルトインコンロがキッチンカウンターに設置されていない非設置状態において、外側部の上方に第１空間が存在し、内側延出部の上方に第２空間が存在する構成をなしていてもよい。そして、ビルトインコンロがキッチンカウンターに設置されることに応じて外側部の下端側が載置面によって下方から押され且つ内側延出部の下端側が載置面によって下方から押された場合に、外側部が第１空間側に弾性変形し、内側延出部が第２空間側に弾性変形する構成であってもよい。
【００１０】
このビルトインコンロは、非設置状態のときに外側部の上側に第１空間が存在し、内側延出部の上側に第２空間が存在するため、キッチンカウンターに設置されたときに外側に延びる外側部が上側に弾性変形しやすく、内側に延びる内側延出部も上側に弾性変形しやすくなる。ゆえに、比較的軽い荷重であったとしても、外側部と内側延出部とが内外に拡がる撓み変形がより生じやすくなり、それぞれが載置面に密着した状態がより生じやすくなる。
【００１１】
本発明の一つであるビルトインコンロは、ビルトインコンロがキッチンカウンターに設置されていない非設置状態において固定部が被支持部に沿って延びる方向と直交する方向の断面をみたとき、外側部が固定部の外側且つ下側に向かって延びるとともに外側部の上方に第１空間が存在し、内側延出部が固定部の内側且つ下側に向かって延びるとともに内側延出部の上方に第２空間が存在し、外側部と内側延出部との間において外側部と内側延出部とが連結する部分の下方側に第３空間が存在する構成であってもよい。そして、ビルトインコンロがキッチンカウンターに設置されることに応じて外側部の下端側が載置面によって下方から押され且つ内側延出部の下端側が載置面によって下方から押された場合に、外側部が第１空間側に弾性変形し、内側延出部が第２空間側に弾性変形し、外側部の下端側と内側延出部の下端側が離間する構成であってもよい。
【００１２】
このビルトインコンロは、非設置状態のときに外側部の上側に第１空間が存在し、内側延出部の上側に第２空間が存在し、外側部と内側延出部との間に第３空間が存在するため、キッチンカウンターに設置されたときに、外側部と内側延出部とが内外に離間しやすくなり、外側に延びる外側部はより一層上側に弾性変形しやすく、内側に延びる内側延出部もより一層上側に弾性変形しやすくなる。ゆえに、比較的軽い荷重であったとしても、外側部と内側延出部とが内外に拡がりつつ上側に弾性変形するような撓み変形がより生じやすくなり、それぞれが載置面に密着した状態がより生じやすくなる。
【００１３】
本発明の一つであるビルトインコンロは、ビルトインコンロがキッチンカウンターに設置されていない非設置状態において固定部が被支持部に沿って延びる方向と直交する方向の断面をみたとき、内側延出部は、下方側且つ外側に向かって凸となる湾曲形状をなしていてもよい。
【００１４】
このように、内側延出部が下方側且つ外側に向かって凸となるような湾曲形状をなしていれば、ビルトインコンロをキッチンカウンターに設置する際に、内側延出部の下側の面が載置面に接触しやすくなり、接触面積も小さくなる。よって、内側延出部において載置面に接触する部分に力が集中しやすくなり、内側延出部が上方側に撓みやすくなる。
【００１５】
本発明の一つであるビルトインコンロにおいて、内側部は、ビルトインコンロがキッチンカウンターに設置されていない非設置状態において固定部が被支持部に沿って延びる方向と直交する方向の断面をみたときに一端及び他端が固定部に連結された環状形態をなす中空部として構成され、当該中空部の下端部よりも外側の位置が内側延出部となっていてもよい。
【００１６】
このように内側部が中空部として構成されていれば、内側部の基端から下端部までの距離（厚み）を確保しやすくなる。また、「内側延出部のめくり上がり」等の意図しない変形を防ぎやすくなり、意図しない変形に起因するシール性の低下を防ぎやすくなる。
【発明の効果】
【００１７】
本発明の一つであるビルトインコンロによれば、キッチンカウンターの載置面とパッキンとの密着性をより高めることができ、トッププレートから零れた煮汁等の液体がカウンター孔側に入り込むことをより確実に防止し得る。
【図面の簡単な説明】
【００１８】
【図１】図１は、実施例１のビルトインコンロを概略的に例示する斜視図である。
【図２】図２は、図１のビルトインコンロの平面図である。
【図３】図３は、図１のビルトインコンロにおいて、トッププレート等を取り外した状態を例示する斜視図である。
【図４】図４は、図２のＡ−Ａ断面を概略的に例示する断面図である。
【図５】図５は、図２のＢ−Ｂ断面を概略的に例示する断面図である。
【図６】図６は、図４の一部を拡大して示す拡大断面図である。
【図７】図７は、図６の一部を拡大して示す拡大断面図である。
【図８】図８は、図５の一部を拡大して示す拡大断面図である。
【図９】図９は、図８の一部を拡大して示す拡大断面図である。
【図１０】図１０は、ビルトインコンロがキッチンカウンターに設置されたときの図７で示す部分を概念的に示す拡大断面図である。
【図１１】図１１は、ビルトインコンロがキッチンカウンターに設置されたときの図９で示す部分を概念的に示す拡大断面図である。
【発明を実施するための形態】
【００１９】
＜実施例１＞
以下、本発明の一例を具現化したビルトインコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００２０】
ビルトインコンロ１は、図１、図２のような外観をなし、図３のような内部構成となっている。ビルトインコンロ１は、図２で概念的に示すキッチンカウンター１００の所定の載置面１０２Ａに形成されたカウンター孔１０４を通してキッチンカウンター１００の内部に一部（後述する周壁部３２等）が収容されつつ、筐体部３０の一部（被支持部３４）がカウンター孔１０４の周囲の載置面１０２Ａに支持された状態で設置される。図１のように、ビルトインコンロ１は、板状に構成されたトッププレート２が筐体部３０（図３参照）に対して着脱可能に取り付けられてなる。
【００２１】
図３のように、筐体部３０は、ガスバーナ５，６などの各種部品を収容する収容空間の周囲に配置される周壁部３２と、周壁部３２の上端部において外側へと環状且つフランジ状に張り出すように形成された被支持部３４と、を備え、上端部３０Ａ側が開放した箱状のケース体として構成されている。周壁部３２は、前後左右のそれぞれに壁部が配置され、これら壁部によって囲まれた内部空間にガスバーナ５，６などの各種部品を収容する構成をなす。被支持部３４は、ビルトインコンロ１がキッチンカウンター１００に設置されたときに載置面１０２Ａによって支持される部分（具体的には、パッキン５０を介して支持される部分）である。
【００２２】
図１、図２で示すトッププレート２は、板状に構成された部品であり、図３で示す筐体部３０の上端部３０Ａを覆うことにより、図４、図５のように筐体部３０の上端側に形成された開口部を閉塞する形で、筐体部３０に対して上方側から組み付けられる。トッププレート２は、矩形状の周縁部２Ｂを有しており、この周縁部２Ｂは、筐体部３０における被支持部３４の上方側を覆うように配置される。なお、本構成において、周縁部２Ｂは、トッププレート２のうちの被支持部３４を覆う被覆部及びその被覆部の外側に配置される部分の総称である。トッププレート２は、筐体部３０に対して着脱可能とされており、図１、図２のように筐体部３０に組みつけられた状態でビルトインコンロ１の上面部として機能する。トッププレート２において、ガスバーナ５，６の周囲には、平坦な上面を有する平坦部２Ａが設けられている。
【００２３】
なお、本明細書では、この平坦部２Ａの上面と直交する方向をビルトインコンロ１の上下方向とする。上下方向と直交する方向のうち、図２のように平面視したときのビルトインコンロ１の長手方向がビルトインコンロ１の前後方向であり、これら上下方向及び前後方向と直交する方向がビルトインコンロ１の左右方向（幅方向）である。ビルトインコンロ１は、図２のように平面視した状態で前後に長い構成となっている。
【００２４】
図１、図２のように、トッププレート２の後ろ側の開口部の内側にはガスバーナ５が設けられ、前側の開口部の内側にはガスバーナ６が設けられ、２つのガスバーナ５，６が前後方向に１列に並んだ構成をなしている。それぞれの開口部の上側には五徳１１，１２が設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。なお、本構成では、五徳１１，１２上に平坦な板材を配置したときのその板面と直交する方向がビルトインコンロ１の上下方向となっている。ガスバーナ５の中心にはセンサ部１５が設けられ、ガスバーナ６の中心にはセンサ部１６が設けられている。ビルトインコンロ１の上面側において、トッププレート２の前端寄りの領域には、トッププレート２を貫通した形で点火スイッチ２１，２２がそれぞれ設けられ、左側の点火スイッチ２１は、ガスバーナ５の点火操作や火力調整操作を行うための操作部となっており、右側の点火スイッチ２２は、ガスバーナ６の点火操作や火力調整を行うための操作部となっている。
【００２５】
（パッキン及び周辺構成）
図３のように、パッキン５０は、筐体部３０の被支持部３４（ビルトインコンロ１がキッチンカウンター１００に設置されたときにパッキン５０を介して載置面１０２Ａによって支持される部分）に沿って設けられ、被支持部３４の周囲に環状に取り付けられている。図６〜図１１はいずれも、固定部５２が被支持部３４に沿って延びる方向と直交する方向の断面をみた図である。固定部５２が被支持部３４に沿って延びる方向は、被支持部３４の左右両端部に配置される固定部５２では、前後方向が被支持部３４に沿って延びる方向である。よって、この位置に配置される固定部５２の断面は、前後方向と直交する平面方向の断面である。また、被支持部３４の前後両端部に配置される固定部５２では、左右方向が被支持部３４に沿って延びる方向である。よって、この位置に配置される固定部５２の断面は、左右方向と直交する平面方向の断面である。また、被支持部３４の四隅に設けられた円弧状の角部に配置される固定部５２では、その円弧状の角部の接線方向が被支持部３４に沿って延びる方向である。なお、図４、図５、図６、図８では、断面のハッチングを省略して示す。
【００２６】
ビルトインコンロ１がキッチンカウンター１００に設置されていない非設置状態のときには、パッキン５０は、図６〜図９のような自然状態をなす。この自然状態のときには、パッキン５０の外側部５４や内側部５６に対して下方からの接触力（押圧力）が加えられていない。なお、パッキン５０は、図７、図９のように、環状に構成された被支持部３４の周方向のどの位置でも、左右対称となりうる点以外は同様の断面形状をなす。ビルトインコンロ１がキッチンカウンター１００に設置された設置時には、図１０、図１１のように自然状態から変形した状態となる。この設置態のときには、キッチンカウンター１００の載置面１０２Ａによって、パッキン５０の外側部５４や内側部５６に対して下方からの接触力（押圧力）が加えられる。
【００２７】
図７、図９のように、パッキン５０は、例えばゴム、エラストマーなどの弾性材料、或いはその他の樹脂材料などによって構成され、固定部５２、外側部５４、内側部５６、を備えており、これらが一体的に形成されている。
【００２８】
図７、図９のように、固定部５２は、筐体部３０の上端部３０Ａにおいてフランジ状に構成された被支持部３４に沿うように環状に配置されるとともに被支持部３４に固定される部分である。図７等に示されるように、被支持部３４はその外縁部がＺ字状に曲げ形成されて、その端部３４Ｂが被支持部本体部（固定部５２に挟み込まれる部分の外側の部分）よりもやや下側で外方向に張り出すように形成されている。固定部５２は、端部３４Ｂの上側に接触する第１押圧部５２Ａと、端部３４Ｂの下側に接触する第２押圧部５２Ｂとを備え、第１押圧部５２Ａと第２押圧部５２Ｂとが端部３４Ｂを上下に挟み込む構成をなし、端部３４Ｂを狭圧保持している。具体的には、第１押圧部５２Ａと第２押圧部５２Ｂとによって湾曲した断面構造の溝部５２Ｃが被支持部３４の延びる方向（被支持部３４の外縁に沿った方向と直交する平面方向の断面において被支持部３４の延びる方向）に沿って形成されており、この溝部５２Ｃ内に被支持部３４の端部３４Ｂが嵌り込んでいる。
【００２９】
図７、図９のように、外側部５４は、環状に形成される固定部５２に沿うように（即ち、環状に形成された被支持部３４の外周縁に沿うように）環状に配置されるとともに固定部５２に一体的に連結され、固定部５２の外側且つ下側に張り出した形状をなし、弾性変形及び撓み変形が可能とされた部分である。外側部５４は、固定部５２の下端部付近（具体的には、第１押圧部５２Ａと第２押圧部５２Ｂとの連結部付近）を基端部として、第１押圧部５２Ａと第２押圧部５２Ｂとの連結部から固定部５２の下側且つ外側に張り出している。そして、図７、図９のような自然状態では、外側部５４の下端はトッププレート２の周縁部２Ｂの下側に位置し、周縁部２Ｂの下端よりも下側且つ被支持部３４の下端よりも下側に位置している。具体的には、被支持部３４の端部３４Ｂ付近から断面直線状に延びており、先端が端部３４Ｂよりも下側且つ外側となっている。
【００３０】
図７、図９のように、内側部５６は、外側部５４の内側において固定部５２に一体的に連結された構成で弾性変形及び撓み変形が可能とされた部分である。この内側部５６は、内側延出部５７と、連結部５８とを備えており、ビルトインコンロ１がキッチンカウンター１００に設置されていない非設置状態において固定部５２が被支持部３４に沿って延びる方向と直交する方向の断面（図７、図９等）をみたときに一端及び他端が固定部５２に連結された環状形態をなす中空部として構成され、当該中空部の下端部５６Ａよりも外側の位置に内側延出部５７が設けられている。
【００３１】
内側延出部５７は、固定部５２に沿うように環状に配置されるとともに固定部５２の下端部付近（具体的には、第１押圧部５２Ａと第２押圧部５２Ｂとの連結部付近であって、外側部５４の基端部付近）を基端部として、第１押圧部５２Ａと第２押圧部５２Ｂとの連結部から内側且つ下側に向かう形状をなす部分である。また、非設置状態において固定部５２が被支持部に沿って延びる方向と直交する方向の断面（図７、図９等）をみたとき、内側延出部５７は、下方側且つ外側に向かって凸となる湾曲形状をなしている。連結部５８は、固定部５２の上端部付近（具体的には、第２押圧部５２Ｂの上端部）を基端部として、第２押圧部５２Ｂの上端部から下側に向かうように構成され、内側延出部５７と固定部５２（具体的には、第２押圧部５２Ｂ）とを連結するように機能する。図７、図９の構成において、内側延出部５７は、自然状態のときの内側部５６において、内側部５６の下端部５６Ａから固定部５２（具体的には、第１押圧部５２Ａと第２押圧部５２Ｂとの連結部）までの部分であり、連結部５８は、自然状態のときの内側部５６において、内側部５６の下端部５６Ａから固定部５２（具体的には、第２押圧部５２Ｂの上端部）までの部分であって且つ内側延出部５７よりも内側の部分である。
【００３２】
図７、図９のように、パッキン５０は、ビルトインコンロ１がキッチンカウンター１００に設置されていない非設置状態において、外側部５４の上方に第１空間９１が存在し、内側延出部５７の上方に第２空間９２が存在し、外側部５４と内側延出部５７との間に第３空間９３が存在する構成をなす。具体的には、図７、図９のように、非設置状態において固定部５２が被支持部３４に沿って延びる方向と直交する方向の断面をみたとき、外側部５４が固定部５２の外側且つ下側に向かって延びるとともに外側部５４の上方においてトッププレート２の周縁部２Ｂとの間に第１空間９１が存在する。また、当該断面において、内側延出部５７が固定部５２の内側且つ下側に向かって延びるとともに、内側延出部５７の上方に内側部５６（中空部）の内部空間としての第２空間９２が存在する。具体的には、内側延出部５７と連結部５８と第２押圧部５２Ｂとによって囲まれる形で第２空間９２が構成される。そして、当該断面において、外側部５４と内側延出部５７との間に第３空間９３が存在する。具体的には、外側部５４と内側延出部５７との間において外側部５４と内側延出部５７とが連結する部分の下方側（より具体的には、第１押圧部５２Ａと第２押圧部５２Ｂとが連結する部分の下方側）に第３空間９３が存在する。
【００３３】
そして、ビルトインコンロ１がキッチンカウンター１００に設置されることに応じて外側部５４の下端側が載置面１０２Ａによって下方から押され且つ内側延出部５７の下端側が載置面１０２Ａによって下方から押された場合に、図１０、図１１のように外側部５４が第１空間９１側に弾性変形し、内側延出部５７が第２空間９２側に弾性変形し、外側部５４の下端側と内側延出部５７の下端側とが離間する。
【００３４】
次に、本構成の主な効果を例示する。
上述したビルトインコンロ１は、キッチンカウンター１００の載置面１０２Ａの反り等に起因して被支持部３４や固定部５２の一部が載置面１０２Ａから若干浮き上がったとしても、その浮き上がり部分近傍に位置する外側部５４や内側延出部５７は、被支持部３４や固定部５２と同様に浮き上がるのではなく、弾性復帰力によって載置面１０２Ａ側に撓むように変位することになる。このような変位が外側部５４及び内側延出部５７において部分的に生じ得るため、被支持部３４や固定部５２の一部が若干浮き上がったとしても外側部５４及び内側延出部５７がキッチンカウンター１００の載置面１０２Ａに密着した状態で維持されやすくなる。しかも、外側部５４と内側延出部５７とが内外に延びる形態でそれぞれ設けられているため、比較的軽い荷重であったり、浮き上がり量が小さい場合であっても、外側部５４と内側延出部５７とが内外に拡がりながら撓み変形し、それぞれが載置面１０２Ａに密着した状態で維持されやすくなる。よって、トッププレート２から零れた煮汁等の液体がカウンター孔１０４側に入り込むことをより確実に防止し得る。
【００３５】
上述したビルトインコンロ１では、図７、図９のように、パッキン５０は、ビルトインコンロ１がキッチンカウンター１００に設置されていない非設置状態において、外側部５４の上方に第１空間９１が存在し、内側延出部５７の上方に第２空間９２が存在する構成をなす。そして、ビルトインコンロ１がキッチンカウンター１００に設置されることに応じて外側部５４の下端側が載置面１０２Ａによって下方から押され且つ内側延出部５７の下端側が載置面１０２Ａによって下方から押された場合には、図１０、図１１のように、外側部５４が第１空間９１側に弾性変形し、内側延出部５７が第２空間９２側に弾性変形する構成となっている。このように、非設置状態のときに外側部５４の上側に第１空間９１が存在し、内側延出部５７の上側に第２空間９２が存在するため、キッチンカウンター１００に設置されたときに外側に延びる外側部５４が上側に弾性変形しやすく、内側に延びる内側延出部５７も上側に弾性変形しやすくなる。ゆえに、比較的軽い荷重であったとしても、外側部５４と内側延出部５７とが内外に拡がる撓み変形がより生じやすくなり、それぞれが載置面１０２Ａに密着した状態がより生じやすくなる。
【００３６】
図６〜図９のように、ビルトインコンロ１がキッチンカウンター１００に設置されていない非設置状態において固定部５２が被支持部３４に沿って延びる方向と直交する方向の断面をみたとき、外側部５４が固定部５２の外側且つ下側に向かって延びるとともに外側部５４の上方に第１空間９１が存在し、内側延出部５７が固定部５２の内側且つ下側に向かって延びるとともに内側延出部５７の上方に第２空間９２が存在し、外側部５４と内側延出部５７との間に第３空間９３が存在する構成となっている。そして、図１０、図１１のように、ビルトインコンロ１がキッチンカウンター１００に設置されることに応じて外側部５４の下端側が載置面１０２Ａによって下方から押され且つ内側延出部５７の下端側が載置面１０２Ａによって下方から押された場合に、外側部５４が第１空間９１側に弾性変形し、内側延出部５７が第２空間９２側に弾性変形し、外側部５４の下端側と内側延出部５７の下端側が離間する構成となっている。このように、非設置状態のときに外側部５４の上側に第１空間９１が存在し、内側延出部５７の上側に第２空間９２が存在し、外側部５４と内側延出部５７との間に第３空間９３が存在するため、キッチンカウンター１００に設置されたときに、外側部５４と内側延出部５７とが内外に離間しやすくなり、外側に延びる外側部５４はより一層上側に弾性変形しやすく、内側に延びる内側延出部５７もより一層上側に弾性変形しやすくなる。ゆえに、比較的軽い荷重であったとしても、外側部５４と内側延出部５７とが内外に拡がりつつ上側に弾性変形するような撓み変形がより生じやすくなり、それぞれが載置面１０２Ａに密着した状態がより生じやすくなる。
【００３７】
ビルトインコンロ１がキッチンカウンター１００に設置されていない非設置状態において固定部５２が被支持部３４に沿って延びる方向と直交する方向の断面をみたとき、内側延出部５７は、下方側且つ外側に向かって凸となる湾曲形状をなしている。このように、内側延出部５７が下方側且つ外側に向かって凸となるような湾曲形状をなしていれば、ビルトインコンロ１をキッチンカウンター１００に設置する際に、内側延出部５７の下側の面が載置面１０２Ａに接触しやすくなり、接触面積も小さくなる。よって、内側延出部５７において載置面１０２Ａに接触する部分に力が集中しやすくなり、内側延出部５７が上方側に撓みやすくなる。
【００３８】
図６〜図９のように、固定部５２が被支持部に沿って延びる方向と直交する方向の断面をみたとき、内側部５６は、一端及び他端が固定部５２に連結された環状形態をなす中空部として構成され、当該中空部の下端部よりも外側の位置に内側延出部５７が設けられ、内側の位置に連結部５８が設けられている。このように内側部５６が中空部として構成されていれば、内側部５６の基端から下端部までの距離（厚み）を確保しやすくなる。また、「内側延出部５７のめくり上がり」等の意図しない変形を防ぎやすくなり、意図しない変形に起因するシール性の低下を防ぎやすくなる。
【００３９】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００４０】
上述した実施例では、内側部が中空状に構成されていたが、中空状でなくてもよい。例えば、連結部５８が存在しない構成であってもよい。
【００４１】
上述した実施例では、内側延出部が断面円弧状に構成されていたが、この構成に限定されず、例えば、外側部と同様の形状で断面直線状に構成されていてもよい。
【符号の説明】
【００４２】
１…ビルトインコンロ
２…トッププレート
５，６…ガスバーナ
３０…筐体部
３２…周壁部
３４…被支持部
５０…パッキン
５２…固定部
５４…外側部
５６…内側部（中空部）
５７…内側延出部
１００…キッチンカウンター
１０２Ａ…載置面
１０４…カウンター孔
【図１】
2019152393.tif 000003
【図２】
2019152393.tif 000004
【図３】
2019152393.tif 000005
【図４】
2019152393.tif 000006
【図５】
2019152393.tif 000007
【図６】
2019152393.tif 000008
【図７】
2019152393.tif 000009
【図８】
2019152393.tif 000010
【図９】
2019152393.tif 000011
【図１０】
2019152393.tif 000012
【図１１】
2019152393.tif 000013